(57)【要約】【課題】床先行型の二重床構造において、壁部材で仕切られた部屋間の音の伝搬を簡単な構造で防止する。【解決手段】基礎床１１上に複数の支持脚１３を介して床パネル１２が敷設されるとともに、この床パネル１２の上に、隣接する部屋１，４の間を区画する壁部材１０が設置され、該壁部材１０の下方位置における床パネル１２と基礎床１１との間に、その間の空間を仕切るように吸音材４１を積み重ねてなる仕切り壁４２が壁部材１０の面方向と平行に設けられている。【選択図】図２
2009074311.tif 000002
【特許請求の範囲】
【請求項１】
基礎床上に複数の支持脚を介して床パネルが敷設されるとともに、この床パネルの上に、隣接する部屋の間を区画する壁部材が設置され、該壁部材の下方位置における床パネルと基礎床との間に、その間の空間を仕切るように吸音材を積み重ねてなる仕切り壁が前記壁部材の面方向と平行に設けられていることを特徴とする二重床構造。
【請求項２】
前記壁部材の鉛直方向の直下に、前記支持脚が前記壁部材の面方向に沿って並べられ、前記吸音材の仕切り壁は、これら支持脚の列の左右の少なくともいずれか一側方に配置されていることを特徴とする請求項１記載の二重床構造。
【請求項３】
前記吸音材は、グラスウールを含んで構成されていることを特徴とする請求項１又は２記載の二重床構造。
【発明の詳細な説明】
【技術分野】
【０００１】
本発明はコンクリートスラブ等の基礎床上に支持脚を介して床パネルを支持した二重床構造に係り、その床パネルを敷設した後に壁部材を床パネルの上に設置してなる床先行型の二重床構造に関する。
【背景技術】
【０００２】
近年、集合住宅やオフィスビルなどの多くの建造物に二重床構造のものが採用されてきており、コンクリートスラブと床パネルとの間に空間部を形成して、遮音性を高めるとともに、その空間部に、電気・通信用の配線等を設けることができるようになっている。
【０００３】
この種の二重床として、特許文献１や特許文献２に記載の支持脚を利用した構造のものがある。この二重床は、コンクリートスラブ上に支持脚を並べて、その上に床パネルを配置することにより、これらコンクリートスラブと床パネルとの間に空間部を形成したものである。また、特許文献２記載の二重床では、床パネルの上に壁部材を設置した、いわゆる床先行型の構造とされている。
【０００４】
このような二重床構造のものは、空間部によって床パネルとコンクリートスラブとを離間させることにより遮音性を確保しているとともに、床パネルを支持している支持脚の台座にゴム等の弾性部材を使用して、床面上に物体を落下させても、その衝撃音が支持脚を経由してコンクリートスラブに伝達しにくいようにされている。
【特許文献１】特開平５−３２１４４３号公報
【特許文献２】特開２００４−２５７０５９号公報
【発明の開示】
【発明が解決しようとする課題】
【０００５】
ところで、上記特許文献２に示される床先行型の二重床構造にあっては、床パネルの上の部屋は壁部材によって区画されるが、床パネルの下方の空間は、各部屋の下方位置の空間どうしが連通状態とされているため、隣室の音が二重床の間の空間を経由して伝搬するおそれがある。
【０００６】
これを遮断するために、床パネルとコンクリートスラブとの間を合板等によって密閉することが考えられるが、施工が面倒である。
【０００７】
本発明は、前記事情に鑑みて提案されたものであって、床先行型の二重床構造において、壁部材で仕切られた部屋間の二重床を経由する音の伝搬を簡単な構造で防止することができる二重床構造の提供を目的とする。
【課題を解決するための手段】
【０００８】
上記目的を達成するために、本発明では、コンクリートスラブ等の基礎床上に複数の支持脚を介して床パネルが敷設されるとともに、この床パネルの上に、隣接する部屋の間を区画する壁部材が設置され、該壁部材の下方位置における床パネルと基礎床との間に、その間の空間を仕切るように吸音材を積み重ねてなる仕切り壁が前記壁部材の面方向と平行に設けられていることを特徴とする。
【０００９】
すなわち、床パネルと基礎床との間の空間を吸音材の仕切り壁によって仕切るようにしたものであり、その仕切り壁を吸音材の積み重ねによって構成している。したがって、基礎床の上に床パネルを敷設する際に、これらの間を埋めるように吸音材を上下方向に積み重ねて仕切り壁にするという、簡単な施工で構築することができる。
【００１０】
そして、この仕切り壁を床パネル上の壁部材の面方向と平行に配置することにより、床パネルと基礎床との間の空間を遮断し、該空間を経由して伝搬する音を仕切り壁で吸収することができる。
【００１１】
また、本発明の二重床構造において、前記壁部材の鉛直方向の直下に、前記支持脚が前記壁部材の面方向に沿って並べられ、前記吸音材の仕切り壁は、これら支持脚の列の左右の少なくともいずれか一側方に配置されていることを特徴とする。
【００１２】
この床先行型の二重床構造においては、床パネルの上に設置される壁部材の重量を支持脚によって直接的に支持するようにしており、強度的にも優れる構造となっている。この場合、この壁部材直下の支持脚の列に沿って仕切り壁が設けられており、二重床の間の空間を経由して音が隣室に伝搬することが軽減される。もちろん、吸音材の仕切り壁を支持脚の列の両側に配置して、さらに遮音性を高めるようにしてもよい。
【００１３】
本発明の二重床構造において、前記吸音材は、グラスウールを含んで構成されていることを特徴とする。
【００１４】
グラスウールは、ガラス繊維でできた綿状の素材であり、複雑に入り組んだガラス繊維の隙間に空気が閉じ込められていることにより、吸音、断熱の機能を有するものである。一般には、グラスウールをフィルムにより覆って板状やロール状等とした形態をしており、取り扱いが容易である。このグラスウールの吸音材を床パネルと基礎床との間に積み重ねることにより簡単に仕切り壁を構築することができ、しかも、グラスウールによって優れた吸音性を発揮することができる。
【発明の効果】
【００１５】
本発明の二重床構造によれば、床パネルと基礎床との間の空間を吸音材の仕切り壁によって遮断し、該空間を経由して伝搬する音を仕切り壁で吸収することができる。しかも、基礎床の上に床パネルを敷設する際に、これらの間を埋めるように吸音材を上下方向に積み重ねて仕切り壁にするという、簡単な施工で構築することができる。
【発明を実施するための最良の形態】
【００１６】
以下に本発明の一実施形態を図面に基づいて説明する。
【００１７】
図１は一実施形態の二重床を適用した平面図であり、後述する効果確認試験を行うために施工したモデル室である。この図1において、符号１は浴室、符号２はトイレ、符号３は洗濯室、符号４が居室をそれぞれ示しており、符号５が浴槽を有するユニットバス、符号６が便器、符号７が洗濯機パンである。そして、各部屋１〜４の相互間は壁部材８〜１０によって区画されており、図１に示すように、浴室１、トイレ２、洗濯室３は一列に並んで配置され、これら各部屋１〜３のいずれもが居室４に隣接して配置されている。
【００１８】
また、浴室１のユニットバス５は、基礎床としてのコンクリートスラブ１１の上に直接的に設置されているが、トイレ２、洗濯室３、居室４は二重床構造とされ、トイレ２の便器６及び洗濯室３の洗濯機パン７は二重床構造の床パネル１２の上に設置されている。
【００１９】
この床パネル１２は床面に沿って複数枚並べられており、それぞれの床パネル１２がコンクリートスラブ１１の上に複数の支持脚１３によって支持されている。
各支持脚１３は、図４に示すように、円錐台状の台座２１と、該台座２１に嵌合させられて台座２１上に直立状態に支持される支持ボルト２２と、中央部に形成される貫通孔２３に雌ねじ部材２４を固定して構成されるブロック状の床パネル受け２５とから構成されている。
【００２０】
台座２１は、硬質ゴム等の弾性部材から構成されており、その中央に支持ボルト２２の下端部２２ａが回転自在に嵌合させられている。
【００２１】
支持ボルト２２の軸部２２ｂには、その下端部２２ａを除くほぼ全長にわたって雄ねじが形成されており、該軸部２２ｂの上端面には、プラスドライバ等が挿入可能な工具挿入溝２６が形成されている。
床パネル受け２５は、中央に貫通孔２３が形成された平面視正方形のパーティクルボードブロック２７と、貫通孔２３に一体的に固定され、支持ボルト２２が螺合させられる雌ねじ部材２４と、パーティクルボードブロック２７の上面に接着された粘着テープ２８とから構成されている。
雌ねじ部材２４は、その長さ方向の中央部にフランジ部２４ａが形成されるとともに、内周面に雌ねじが形成され、フランジ部２４ａが床パネル受け２５の下面側（粘着テープ２８の貼り付け面と反対側）に露出した状態でパーティクルボードブロック２７に一体的に固定されている。
そして、この支持脚１３では、支持ボルト２２を回転させて雌ねじ部材２４を支持ボルト２２に沿って上下に移動させることにより、雌ねじ部材２４に固定されたパーティクルボードブロック２７の高さ、言い換えれば床パネル受け２５の高さが調整され、これにより床パネル受け２５の上に載せられる床パネル１２とコンクリートスラブ１１との間隔が調整される構成である。
【００２２】
また、床パネル１２は、パーティクルボード３１と、その上に配置される表面床板であるフローリング材３２とから構成されている。パーティクルボード３１は廃材などから得られる木片チップを接着剤で固めたものである。フローリング材３２は、パーティクルボード３１を下地材として配置されるものである。
【００２３】
一方、壁部材８〜１０は、鉄骨からなる芯部材３５の片面又は両面に石膏ボード３６を貼り付け固定したものであり、石膏ボード３６の床面から所定高さまでの表面には、下端にヒレ３７ａを有する巾木３７が張られている。
【００２４】
この実施形態の場合、前述したように、浴室１、トイレ２、洗濯室３が並んで配置され、それぞれ居室４と一枚の壁部材１０を介して隣接している。そして、これら浴室１とトイレ２との間の壁部材８、トイレ２と洗濯室３との間の壁部材９、及び浴室１、トイレ２、洗濯室３と居室４との間を区画している壁部材１０は、それぞれ床パネル１２の上に設置されており、その床パネル１２の下方の支持脚１３のうちの複数の支持脚１３が、各壁部材８〜１０の鉛直方向の直下に配置され、各壁部材８〜１０の面方向に沿って並べられている。つまり、各壁部材８〜１０を複数の支持脚１２によって下方から支持した構造とされている。
【００２５】
この場合、トイレ室２、洗濯機室３、居室４の部屋の中においては、平面的に並べられる床パネル１２の間に支持脚１３が配置され、隣接する床パネル１２どうしの隙間に支持ボルト２２の頭部が臨ませられるようになっている。一方、壁部材８〜１０の直下に配置されている支持脚１３のうち、床パネル１２の面の中間部に配置される支持脚１３は、床パネル１２のパーティクルボード３１に形成した貫通孔３８に支持ボルト２２の頭部が挿入状態に配置されている。したがって、これら床パネル１２どうしの隙間、又は床パネル１２の貫通孔３８に露出している支持ボルト２２の頭部の工具挿入溝２６に床パネル１２の上から工具を挿し込んで床パネル１２の高さ調整をすることができる。
【００２６】
また、浴室１、トイレ２、洗濯室３と居室４との間を区画している壁部材８〜１０の下方位置、より詳細には居室４における壁部材１０に近接した位置の床パネル１２の下方位置には、この壁部材１０を支持している支持脚１３の列に並ぶように吸音材４１からなる仕切り壁４２が設けられている。
【００２７】
この吸音材４１は、グラスウールによって構成されている。
このグラスウールは、ガラス繊維でできた綿状の素材であり、溶融状態のガラスを遠心法等によって綿状にし、これに接着剤を添加して板状、ロール状等に整形したものである。グラスウールの表面は、アルミニウムを蒸着した樹脂フィルムによって覆われている。
このグラスウールの吸音材４１が床パネル１２とコンクリートスラブ１１との間の空間に複数枚積み重ねられることにより仕切り壁４２を構成している。
このような二重床構造において、浴室１、トイレ２、洗濯室３はそれぞれ生活騒音や振動が発生する箇所であるが、これら部屋１〜３と居室４との間を区画している壁部材１０の下方位置に、支持脚１３によって支持している床パネル１２とコンクリートスラブ１１との間を埋めるように吸音材４１の仕切り壁４２が設けられていることにより、各部屋１〜３からの騒音や振動の居室４への伝搬を軽減することができるものである。
【００２８】
この二重床構造において仕切り壁４２に用いられている吸音材４１は、グラスウールによって構成されており、グラスウールの中で絡み合ったガラス繊維の隙間に空気が閉じ込められている。音は複雑に交錯するグラスウールの繊維を通る間に吸収される。
この吸音材４１を使用した二重床構造の遮音効果を確認するために、浴室１、トイレ２、洗濯室３において各種の生活騒音を発生させて、居室４への音の伝搬等を測定した。例えば浴室１において手桶を所定の高さから落下させる、腰掛けで８の字を描きながら床面を引き摺る、トイレ２で大便時の洗浄水を流す、洗濯室３でゴルフボールを所定の高さから落下させる、等により生活騒音を発生させた。そして、各部屋１〜３での発生音と、居室４の中央、壁部材１０から所定距離離れた位置等での伝搬音との音圧を測定した。
比較の対象としては、床先行型の二重床構造で吸音材を設置しないものと、壁先行型の構造、つまり、コンクリートスラブの上に直接壁部材を立設し、床パネルは壁部材によって分断して配置した構造とを用いた。
【００２９】
壁先行型の構造は、各部屋の間を壁部材によってコンクリートスラブの上から遮断してしまうので、優れた遮音効果を有する。本実施形態の場合、この壁先行型の構造に比べると、ほとんどの生活音において３〜４ｄＢ程度大きな音として測定された。吸音材を用いない床先行型の構造に比べると、本実施形態の構造の方がわずかに大きくなる場合もあったが、総じて２〜９ｄＢ程度、音は小さくなった。
この実験結果から、本実施形態の構造の場合、壁先行型の構造とほぼ同等の遮音性を有することが確認できた。
以上のように、この二重床構造においては、床パネル１２とコンクリートスラブ１１との間の空間を床パネル１２上の壁部材１０による区画と同様にして吸音材４１による仕切り壁４２により仕切っているので、床先行型の二重床でありながら、壁先行型の構造とほぼ同等の遮音性を有している。しかも、二重床の床パネル１２とコンクリートスラブ１１との間に吸音材４１を積み重ねて仕切り壁４２としただけの構造であるから、二重床を施工する際に吸音材４１の仕切り壁４２も簡単に施工することができ、作業性が良い。
【００３０】
なお、前記実施形態では、壁部材を支持している支持脚の列の一側方、具体的には居室における壁部材近傍の下方位置にのみ吸音材の仕切り壁を設けたが、支持脚の列の両側に吸音材の仕切り壁を設けるようにしてもよい。
【００３１】
また、吸音材としてはグラスウールを用いることとしたが、ロックウールや不織綿等の適用を除外するものではない。
【図面の簡単な説明】
【００３２】
【図１】本発明の二重床構造の一実施形態を示す床の平面図である。
【図２】図１の浴室と居室との間の壁部材を支持している二重床構造の縦断面図である。
【図３】図１のトイレ又は洗濯室と居室との間の壁部材を支持している二重床構造の縦断面図である。
【図４】この実施形態において使用されている支持脚の正面図である。
【符号の説明】
【００３３】
１  浴室
２  トイレ
３  洗濯室
４  居室
８〜１０  壁部材
１１  コンクリートスラブ（基礎床）
１２  床パネル
１３  支持脚
２１  台座
２２  支持ボルト
２４  雌ねじ部材
２５  床パネル受け
３１  パーティクルボード
３２  フローリング材
４１  吸音材
４２  仕切り壁
【図１】
2009074311.tif 000003
【図２】
2009074311.tif 000004
【図３】
2009074311.tif 000005
【図４】
2009074311.tif 000006